(57)【要約】【課題】ダンパ効率を高くすることができるダンパ装置を提供する。【解決手段】扉側部材３ｂ及び本体側部材３ａのいずれか一方にベース６を取り付ける。ベース６に回り対偶で第一のリンク７を繋げ、第一のリンク７に回り対偶で第二のリンク８を繋げ、第二のリンク８を回り対偶かつすべり対偶でベース６に繋げる。ベース６、第一のリンク７、及び第二のリンク８から構成されるリンク装置６〜８は、扉側部材３ｂ及び本体側部材３ａの他方には繋がっておらず、扉側部材３ｂ及び本体側部材３ａの他方に当たることによって、初期位置Ｐ１から終了位置Ｐ２まで揺動するように構成される。リンク装置６〜８の第一のリンク７及び第二のリンク８の少なくとも一方を制動するダンパ９を設け、終了位置Ｐ２にあるリンク装置６〜８を初期位置Ｐ１に戻す弾性部材（ダンパ９内の弾性部材）を設ける。【選択図】図５
2016030978.tif 000002
【特許請求の範囲】
【請求項１】
扉側部材及び本体側部材のいずれか一方に取り付けられるベース、前記ベースに回り対偶で繋がる第一のリンク、及び前記第一のリンクに回り対偶で繋がり、前記ベースに回り対偶かつすべり対偶で繋がる第二のリンクを有し、前記扉側部材及び前記本体側部材の他方に繋がっておらず、前記扉側部材及び前記本体側部材の他方に当たることによって、初期位置から終了位置まで揺動するように構成されるリンク装置と、
前記第一のリンク及び前記第二のリンクの少なくとも一方を制動するダンパと、
前記終了位置にある前記リンク装置を前記初期位置に戻す弾性部材と、
を備えるダンパ装置。
【請求項２】
前記ベースには、前記第二のリンクを幅方向に挟む一対の案内面が形成され、
前記ベースの前記一対の案内面には、前記第二のリンクの可動軸が回転可能にかつスライド可能に嵌められる一対の案内溝が形成されることを特徴とする請求項１に記載のダンパ装置。
【請求項３】
前記ダンパは、
前記ベースに対する前記第一のリンクの回転の軸を構成するように前記第一のリンクに嵌められ、前記ベースに軸方向に移動可能にかつ回転不可能に支持される軸体と、
前記軸体の穴に挿入され、前記軸体の前記穴の底面と前記ベースの壁面とに挟まれるリニアダンパと、
前記軸体が嵌められる前記第一のリンクの穴の内面に形成され、前記第一のリンクが回転することによって前記軸体を前記軸方向に移動させるカムと、を備えることを特徴とする請求項１又は２に記載のダンパ装置。
【請求項４】
前記初期位置にある前記リンク装置を側方から見たとき、
前記第一のリンクに対する前記第二のリンクの回転の中心が、前記ベースに対する前記第一のリンクの回転の中心と前記ベースに対する前記第二のリンクの回転の中心とを結んだ線よりも、前記扉側部材及び前記本体側部材のいずれか一方から離れた側に配置されることを特徴とする請求項１ないし３のいずれかに記載のダンパ装置。
【請求項５】
扉側部材及び本体側部材のいずれか一方に取り付けられるベース、前記ベースに回り対偶で繋がる第一のリンク、前記第一のリンクに回り対偶で繋がる第二のリンク、及び前記第二のリンクに回り対偶で繋がり、前記ベースに回り対偶で繋がる第三のリンクを有し、前記扉側部材及び前記本体側部材の他方に繋がっておらず、前記扉側部材及び前記本体側部材の他方に当たることによって、初期位置から終了位置まで揺動するように構成されるリンク装置と、
前記第一、前記第二、及び前記第三のリンクのうちの少なくとも一つを制動するダンパと、
前記終了位置にある前記リンク装置を前記初期位置に戻す弾性部材と、
を備えるダンパ装置。
【請求項６】
扉に取り付けられる第一のヒンジ本体、及び本体に取り付けられる第二のヒンジ本体を有し、前記本体に対して前記扉が開閉可能なように、前記第一のヒンジ本体が前記第二のヒンジ本体に対して相対的に回転可能なヒンジと、
請求項１ないし５のいずれかに記載のダンパ装置と、
を備え、
前記扉側部材が前記第一のヒンジ本体であり、前記本体側部材が前記第二のヒンジ本体であることを特徴とするダンパ装置付きヒンジ。
【発明の詳細な説明】
【技術分野】
【０００１】
本発明は、本体に対して開閉可能な扉を制動するダンパ装置に関する。
【背景技術】
【０００２】
家具、建築物等の扉には、本体に対して扉を開閉可能にするためのヒンジが取り付けられる。ヒンジには、扉の閉じた状態を維持するように弾性部材が組み込まれることがある。ヒンジに弾性部材を組み込むと、扉が勢いよく閉まり、衝撃が発生する。扉がゆっくりとスムーズに閉まるようにし、さらに扉の動きに高級感を与えるためにダンパ装置が使用される。
【０００３】
ヒンジは、扉に取付けられる第一のヒンジ本体と、本体に取り付けられる第二のヒンジ本体と、を備える。従来のダンパ装置として、第一のヒンジ本体にダンパ装置を取り付け、扉が閉まるとき、第二のヒンジ本体がダンパ装置に当たるようにしたものが知られている。例えば、特許文献１には、第一のヒンジ本体にダンパ装置を取り付け、ダンパ装置に第二のヒンジ本体に当接可能なウィングを設けたものが開示されている。扉が閉まるとき、第二のヒンジ本体がウィングに当たり、扉と一緒にウィングが回転する。そして、カムによってウィングの回転運動をリニアダンパの直線運動に変換し、リニアダンパを効かせながら扉が閉まるようにしている。
【先行技術文献】
【特許文献】
【０００４】
【特許文献１】特開２０１２−７２６５７号公報
【発明の概要】
【発明が解決しようとする課題】
【０００５】
しかし、特許文献１に記載のダンパ装置にあっては、扉がダンパ装置に当たってから扉が閉まるまでの角度範囲を大きくできないので、ウィングが揺動する角度範囲を実質的に６０度ぐらいまでしかとることができず、ダンパ効率が低いという課題がある。また、カムを使用し、回転運動を直線運動に変換しているが、ウィングの限られた角度範囲の中で運動を変換しているので、リニアダンパのストローク量を確保するために、カムの傾斜を急にしなければならない。それにより、摩擦などのロスが大きくなること、運動の変換ができずに動かなくなること、カム面が強度不足になるという課題もある。
【０００６】
そこで、本発明は、ダンパ効率を高くすることができるダンパ装置及びダンパ装置付きヒンジを提供することを目的とする。
【課題を解決するための手段】
【０００７】
以下、本発明を説明する。なお、本発明の理解を容易にするために添付図面の参照番号を括弧書きにて付記するが、それにより本発明が図示の形態に限定されるものではない。
【０００８】
上記課題を解決するために、本発明の一態様は、扉側部材（３ｂ，２）及び本体側部材（３ａ，１）のいずれか一方に取り付けられるベース（６）、前記ベース（６）に回り対偶で繋がる第一のリンク（７）、及び前記第一のリンク（７）に回り対偶で繋がり、前記ベース（６）に回り対偶かつすべり対偶で繋がる第二のリンク（８）を有し、前記扉側部材（３ｂ，２）及び前記本体側部材（３ａ，１）の他方に繋がっておらず、前記扉側部材（３ｂ，２）及び前記本体側部材（３ａ，１）の他方に当たることによって、初期位置（Ｐ１）から終了位置（Ｐ２）まで揺動するように構成されるリンク装置と、前記第一のリンク（７）及び前記第二のリンク（８）の少なくとも一方を制動するダンパ（９）と、前記終了位置（Ｐ２）にある前記リンク装置を前記初期位置（Ｐ１）に戻す弾性部材（ダンパ９内の弾性部材）と、を備えるダンパ装置である。
【０００９】
上記課題を解決するために、本発明の他の態様は、扉側部材（３ｂ，２）及び本体側部材（３ａ，１）のいずれか一方に取り付けられるベース（６）、前記ベース（６）に回り対偶で繋がる第一のリンク（７）、前記第一のリンク（７）に回り対偶で繋がる第二のリンク（８）、及び前記第二のリンク（８）に回り対偶で繋がり、前記ベース（６）に回り対偶で繋がる第三のリンク（４３ａ，４３ｂ）を有し、前記扉側部材（３ｂ，２）及び前記本体側部材（３ａ，１）の他方に繋がっておらず、前記扉側部材（３ｂ，２）及び前記本体側部材（３ａ，１）の他方に当たることによって、初期位置（Ｐ１）から終了位置（Ｐ２）まで揺動するように構成されるリンク装置と、前記第一、前記第二、及び前記第三のリンク（７，８，４３ａ，４３ｂ）のうちの少なくとも一つを制動するダンパ（９，５２）と、前記終了位置（Ｐ２）にある前記リンク装置を前記初期位置（Ｐ１）に戻す弾性部材（ダンパ９内の弾性部材，１０）と、を備えるダンパ装置である。
【発明の効果】
【００１０】
本発明の一態様によれば、扉を閉めるとき、連鎖をなすリンク装置が扉側部材又は本体側部材に当たることによって、ダンパを効かせながら扉を閉めることができる。また、上記のようにリンク装置を構成することで、第一及び第二のリンクの少なくとも一方の揺動の角度範囲を大きくすることができ、ダンパ効率を高くすることができる。さらに、弾性部材を設けるので、扉が開いたとき、リンク装置を初期位置に戻すことができる。
【００１１】
本発明の他の態様によれば、扉を閉めるとき、連鎖をなすリンク装置が扉側部材又は本体側部材に当たることによって、ダンパを効かせながら扉を閉めることができる。また、上記のようにリンク装置を構成することで、第一ないし第三のリンクの少なくとも一つの揺動の角度範囲を大きくすることができ、ダンパ効率を高くすることができる。さらに、弾性部材を設けるので、扉が開いたとき、リンク装置を初期位置に戻すことができる。
【図面の簡単な説明】
【００１２】
【図１】本発明の第一の実施形態のダンパ装置が取り付けられた家具の斜視図である。
【図２】上記ダンパ装置をスライド蝶番から取り外した状態を示す斜視図である。
【図３】上記ダンパ装置をスライド蝶番に取り付けた状態を示す斜視図である。
【図４】上記ダンパ装置の断面図（図３のIV-IV線断面図）である。
【図５】上記ダンパ装置の側面図である（上記ダンパ装置のスケルトンを含む）。
【図６】上記ダンパ装置の動作図である（図６（１）は扉の開き位置を示し、図６（２）はスライド蝶番にダンパ装置が当たるときの扉の位置を示し、図６（３）は扉の中間位置を示し、図６（４）は扉の閉じ位置を示す）。
【図７】上記ダンパ装置の分解斜視図である。
【図８】上記ダンパ装置の底面側斜視図である。
【図９】上記ダンパ装置の第一のリンクの斜視図である。
【図１０】上記ダンパ装置の第一のリンクの斜視図である。
【図１１】第一のリンクの揺動とリニアダンパの伸縮の関係を示す動作図である（図１１（１）は第一のリンクの初期位置を示し、図１１（２）〜図１１（４）は第一のリンクの中間位置を示し、図１１（５）は第一のリンクの終了位置を示す）。
【図１２】本発明の第二の実施形態のダンパ装置の斜視図である。
【図１３】本発明の第二の実施形態のダンパ装置の分解斜視図である。
【図１４】本発明の第二の実施形態のダンパ装置の動作図である（図１４（１）は扉の開き位置を示し、図１４（２）はスライド蝶番にダンパ装置が当たるときの扉の位置を示し、図１４（３）は扉の中間位置を示し、図１４（４）は扉の閉じ位置を示す）。
【図１５】本発明の第三の実施形態のダンパ装置の斜視図である。
【図１６】本発明の第三の実施形態のダンパ装置の分解斜視図である。
【図１７】本発明の第三の実施形態のダンパ装置の動作図である（図１７（１）は扉の開き位置を示し、図１７（２）はスライド蝶番にダンパ装置が当たるときの扉の位置を示し、図１７（３）は扉の中間位置を示し、図１７（４）は扉の閉じ位置を示す）。
【図１８】本発明の第一の実施形態のダンパ装置を扉に直付した例を示す図である。
【発明を実施するための形態】
【００１３】
以下、添付図面に基づいて、本発明の実施形態のダンパ装置を詳細に説明する。図１は、本発明の第一の実施形態のダンパ装置４が取り付けられた家具の斜視図を示す。家具の本体１には、扉２がヒンジを介して開閉可能に取り付けられる。この実施形態のヒンジは、公知のスライド蝶番３であり、本体１の側板１ａの内面に取り付けられる第一のヒンジ本体としての本体部３ａと、扉２の内面に取り付けられる第二のヒンジ本体としてのカップ３ｂと、本体部３ａ及びカップ３ｂに回転可能に連結される第一及び第二のアーム３ｃ，３ｄ（図６（３）参照）と、を備える。本体部３ａ、カップ３ｂ、第一及び第二のアーム３ｃ，３ｄは、すべて回り対偶で繋がっており、これらは四節回転連鎖を構成する。スライド蝶番３は、扉２を前方に持ち出しながら回転させるという特徴を持つ。カップ３ｂには、扉２が閉じた位置にあるとき（図６（４）参照）、本体部３ａ、第一及び第二のアーム３ｃ，３ｄが入る凹部３ｂ１が形成される。スライド蝶番３には、扉２が閉じた位置を維持するように、閉じた位置の扉２に閉じ方向の付勢力を与えるねじりばね等の弾性部材（図示せず）が組み込まれる。
【００１４】
図２に示すように、スライド蝶番３のカップ３ｂにダンパ装置４が取り付けられる。ダンパ装置４は、共通のねじ５ａ，５ｂでスライド蝶番３のカップ３ｂと一緒に扉２に取り付けられる。ダンパ装置４のベース６には、スライド蝶番３のカップ３ｂの一対の通し穴３ｅ１，３ｅ２と位置を合わせた一対の通し穴６ａ，６ｂ（図３も参照）が開けられる。カップ３ｂの通し穴３ｅ１，３ｅ２及びベース６の通し穴６ａ，６ｂには、共通のねじ５ａ，５ｂが通される。
【００１５】
図３は、カップ３ｂに取り付けたダンパ装置４の斜視図を示し、図４は、ダンパ装置４の断面図（図３のIV-IV線断面図）を示す。図４に示すように、ダンパ装置４は、カップ３ｂに取り付けられるベース６と、ベース６に回り対偶で繋がる第一のリンク７と、第一のリンク７に回り対偶で繋がる第二のリンク８と、を備える。第二のリンク８はベース６に回り対偶かつすべり対偶で繋がる。ベース６、第一及び第二のリンク７，８がリンク装置を構成する。すなわち、これら符号６〜８のリンクは、互いに対偶をなして次々と繋がり、最後のリンクが最初のリンクと対偶をなすように環状に繋がり、リンク装置を構成する。ただし、リンク装置６〜８は、スライド蝶番３の本体部３ａには繋がってはいない。
【００１６】
図５は、ダンパ装置４のスケルトンを示す。ベース６を固定すると、第一及び第二のリンク７，８は、拘束された一定の運動だけが可能となる。ベース６を固定し、ベース６に沿って第二のリンク８をスライドさせると、第一のリンク７はクランクとして、Ａを中心として初期位置Ｐ１から終了位置Ｐ２まで揺動する。第二のリンク８の長さは第一のリンク７よりも長い。そして、揺動の角度範囲θは９０度より大きい。第一のリンク７は、ベース６に対してＰ１からＰ２までベース６の底面と垂直な方向を超えて回転する。
【００１７】
図３に示すように、第二のリンク８の横幅はカップ３ｂの凹部３ｂ１の横幅に略等しい。ダンパ装置４をカップ３ｂに取り付けたとき、第二のリンク８はカップ３ｂの凹部３ｂ１の上方の約半分を塞ぐ。扉２を閉めるとき、スライド蝶番３の本体部３ａがカップ３ｂの凹部３ｂ１に入る。第二のリンク８は、カップ３ｂの凹部３ｂ１に入るスライド蝶番３の本体部３ａに当たってスライドする。
【００１８】
図６は、扉２を閉めるときのダンパ装置４の動作図を示す。図６（１）に示すように、扉２が開いた位置にあるとき、第二のリンク８はスライド蝶番３の本体部３ａから離れている。図６（２）に示すように、扉２を閉じる方向に約６０度回転させると、スライド蝶番３の本体部３ａが第二のリンク８の下側に当たる。
【００１９】
図６（３）に示すように、扉２をさらに閉じる方向に回転させると、スライド蝶番３の本体部３ａが第二のリンク８を押して、第二のリンク８をベース６に沿ってスライドさせる。これに伴い、第一のリンク７と第二のリンク８が揺動し、第一のリンク７と第二のリンク８とで折れ曲がったＬ字形が形成される。詳しくは後述するが、第一のリンク７には、ダンパが収容される。ダンパには、リニアダンパ、回転ダンパのいずれも用いることができる。この第一の実施形態のダンパ装置４では、第一のリンク７には、リニアダンパ９が収容され、第一のリンク７が揺動すると、リニアダンパ９が作動する。
【００２０】
なお、図６（１）に示すように、初期位置にあるダンパ装置４を側方から見たとき、第一のリンク７に対する第二のリンク８の回転の中心Ｂが、ベース６に対する第一のリンク７の回転の中心Ａとベース６に対する第二のリンク８の回転の中心Ｃとを結んだ線Ｌよりも、カップ３ｂから離れた側に配置される。第一のリンク７及び第二のリンク８がベース６側に折れ曲がり、ベース６に干渉するのを防止するためである。
【００２１】
図６（４）に示すように、扉２が閉じ位置にあるとき、第一のリンク７が揺動する角度は最大になる。第二のリンク８には、第一のリンク７に合わせた半円筒形の凹み８ａが形成される。第二のリンク８と第一のリンク７との干渉を避け、第一のリンク７が揺動する角度を大きくするためである。扉２が閉じ位置にあるとき、スライド蝶番３の本体部３ａはカップ３ｂの凹部３ｂ１に入る。
【００２２】
ダンパ装置４には、終了位置にあるリンク装置６〜８を初期位置に戻す弾性部材が設けられる。弾性部材は、リニアダンパ９（図７参照）に組み込まれるコイルばねでも、第一のリンク７を一方向に付勢するねじりばね１０（図１６参照）のいずれでもよい。この弾性部材は、リンク装置６〜８が初期位置、終了位置、中間位置のどこにあろうが常にリンク装置６〜８を初期位置に戻す。
【００２３】
以下に、ダンパ装置４の各部の詳細な構造を説明する。図７の符号６はベース、符号７は第一のリンク、符号８は第二のリンク、符号１１は軸体、符号９はリニアダンパである。軸体１１は、ベース６に対する第一のリンク７の回転の軸を構成する。符号１２は、第一のリンク７に対する第二のリンク８の回転の軸である。符号１３は、ベース６に対する第二のリンク８の回転の軸（可動軸１３）である。
【００２４】
図７に示すように、ベース６は、軸体１１の一端部が嵌められる筒部１５ａを有する第一の分割体６−１と、軸体１１の他端部が嵌められる筒部１５ｂを有する第二の分割体６−２と、第一の分割体６−１と第二の分割体６−２の底面に結合される連結プレート６−３と、を備える。ベース６を分割したのは、ダンパ装置４を組立て易くするためである。ベース６の第一及び第二の分割体６−１，６−２には、第二のリンク８を幅方向に挟む一対の案内面１６ａ，１６ｂが形成される。一対の案内面１６ａ，１６ｂは互いに平行である。第二のリンク８をベース６の一対の案内面１６ａ，１６ｂで幅方向に挟むことで、ベース６に対する第二のリンク８の直線運動及び回転運動を安定させることができる。一対の案内面１６ａ，１６ｂには、第二のリンク８の可動軸１３が回転可能にかつスライド可能に嵌められる一対の案内溝１７ａ，１７ｂが形成される（案内溝１７ｂは案内面１６ｂの背面に形成されるので図示せず）。案内溝１７ａ，１７ｂは、ベース６の底面と平行に直線的に伸びる。
【００２５】
図８のダンパ装置４の底面側斜視図に示すように、第一及び第二の分割体６−１，６−２の底面には、連結プレート６−３に位置決めするための位置決め部（凸部１９ａ，１９ｂ）が形成される。連結プレート６−３にも、第一及び第二の分割体６−１，６−２の凸部１９ａ，１９ｂに嵌まる位置決め部（凹部２０ａ，２０ｂ）が形成される。連結プレート６−３に第一及び第二の分割体６−１，６−２を位置決めした後、ねじ２１ａ，２１ｂ又はかしめにより第一及び第二の分割体６−１，６−２を連結プレート６−３に結合する。
【００２６】
連結プレート６−３の前端部には、Ｌ字に曲げられた突当て部２２が形成される。ダンパ装置４をカップ３ｂに取り付けるとき、この突当て部２２をカップ３ｂに突き当てる。また、ベース６の第一及び第二の分割体６−１，６−２には、下方に突出する縁取り部２３ａ，２３ｂが形成される。この縁取り部２３ａ，２３ｂをカップ３ｂの周囲に係合させる。
【００２７】
図７に示すように、軸体１１は、有底円筒形に形成される。軸体１１は、ベース６に軸方向に移動可能にかつ回転不可能に支持される。すなわち、軸体１１の一端部の外周には、平行な一対の平面部２６ａ，２６ｂが形成される。第一の分割体６−１の筒部１５ａの円筒形の穴にも、一対の平面部２６ａ，２６ｂに対応する一対の平面部２８ａ，２８ｂが形成される。軸体１１の一端部は、第一の分割体６−１の筒部１５ａに軸方向に移動可能にかつ回転不可能に嵌められる。同様に、軸体１１の他端部の外周には、平行な一対の平面部２７ａ，２７ｂが形成される。軸体１１の他端部は、第二の分割体６−２の筒部１５ｂに軸方向に移動可能にかつ回転不可能に嵌められる。
【００２８】
軸体１１の外面には、カム３１が形成される。このカム３１は、第一のリンク７の穴の内面に形成されるカム３２（図１０参照）と協働して、第一のリンク７がベース６に対して軸体１１の回りを回転すると、軸体１１を軸方向に移動させる。
【００２９】
軸体１１の穴１１ａには、リニアダンパ９が挿入される。リニアダンパ９は、シリンダ部９ａと、シリンダ部９ａに対して軸方向に直線運動するロッド９ｂと、を備える公知のものである。リニアダンパ９を伸縮させると、シリンダ部９ａの内部の粘性流体の作用によりダンパ力が発生する。シリンダ部９ａの内部には、ロッド９ｂがシリンダ部９ａから突出するように付勢するコイルばねが設けられる。リニアダンパ９は、軸体１１の穴１１ａの底面１１ａ１と第二の分割体６−２の筒部１５ｂの壁面１５ｂ１との間に挟まれる（図１１（１）参照）。
【００３０】
図７に示すように、第一のリンク７は、円筒形のリンク本体部７ａと、リンク本体部７ａに一体に結合されるブラケット部７ｂと、を備える。リンク本体部７ａには、軸体１１が通される。ブラケット部７ｂには、軸１２が通される。図９の第一のリンク７の斜視図に示すように、リンク本体部７ａの穴７ａ１の内周には、カム３２が形成される。カム３２の形状と軸体１１のカム３１の形状とは、相補的である。異なった角度から見た図１０の第一のリンク７の斜視図に示すように、リンク本体部７ａの穴７ａ１の内周には、第一の内周部３３ａと、第一の内周部３３ａよりも直径の大きい第二の内周部３３ｂが形成される。第一の内周部３３ａと第二の内周部３３ｂとの間には、カム３２を構成する段差が形成される。第一の内周部３３ａは軸体１１の一端部に嵌まり、第二の内周部３３ｂが軸体１１の他端部に嵌まる。
【００３１】
図７に示すように、第二のリンク８は偏平な略四角形に形成される。第二のリンク８には、上述のように、第一のリンク７との干渉を避ける凹み８ａが形成される。第二のリンク８の一端部には、第一のリンク７のブラケット部７ｂを幅方向に挟む一対のブラケット部８ｂ１，８ｂ２（図１１（３）も参照）が形成される。一対のブラケット部８ｂ１，８ｂ２には、軸１２が通される。第二のリンク８の他端部には、可動軸１３が通される。可動軸１３の両端部は、第二のリンク８から幅方向に突出し、ベース６の一対の案内溝１７ａ，１７ｂに嵌まる。
【００３２】
図１１は、第一のリンク７の揺動とリニアダンパ９の伸縮の関係を示す動作図である。図１１中の左側の欄は、ダンパ装置４の側面図を示し、図１１中の中央の欄は、ダンパ装置４の背面図を示し、図１１中の右側の欄は、ダンパ装置４のX−X線断面図を示す。図１１（１）はダンパ装置４の初期位置を示し、図１１（５）はダンパ装置４の終了位置を示す。図１１（１）→図１１（５）の左側の欄に示すように、第一のリンク７が初期位置から終了位置まで揺動すると、図１１（１）→図１１（５）の中央の欄に示すように、第一のリンク７のカム３２が軸体１１のカム３１を図中左側に押す。このため、図１１（１）→図１１（５）の右側の欄に示すように、軸体１１が右から左へと移動する。リニアダンパ９はベース６の壁面１５ｂ１と軸体１１の底面１１ａ１とに挟まれるので、リニアダンパ９が圧縮される。したがって、第一のリンク７の初期位置から終了位置への揺動に伴って、リニアダンパ９のダンパ力が発生する。リニアダンパ９には、コイルばね（図示せず）が設けられる。コイルばねは、図１１（５）の終了位置にある第一のリンク７を図１１（１）の初期位置に戻す。リニアダンパ９のコイルばねで弾性力が不十分な場合、リニアダンパ９のシリンダ部９ａと軸体１１の底面１１ａ１との間に付加的なコイルばねを介在させることもできる。
【００３３】
図１２は、本発明の第二の実施形態のダンパ装置４１の斜視図を示し、図１３は、図１２のダンパ装置４１の分解斜視図を示す。第二の実施形態のダンパ装置４１では、第二のリンク８が第三のリンク４３ａ，４３ｂに回り対偶で繋がり、第三のリンク４３ａ，４３ｂがベース６に回り対偶で繋がっている点が、第一の実施形態のダンパ装置４と異なる。すなわち、第二の実施形態のダンパ装置４１では、ベース６、第一のリンク７、第二のリンク８、第三のリンク４３ａ，４３ｂが全て回り対偶によって連鎖をなしており、これらは四節回転連鎖を構成する。なお、ベース６、第一のリンク７、第二のリンク８、軸体１１、軸１２、リニアダンパ９の構造は、第一の実施形態のダンパ装置４と略同一であるから、同一の符号を附してその説明を省略する。
【００３４】
一対の第三のリンク４３ａ，４３ｂは、第二のリンク８の幅方向の端面に配置される。第三のリンク４３ａ，４３ｂはＬ字に曲がっている。一対の第三のリンク４３ａ，４３ｂの一端部には、一対の軸４４ａ，４４ｂが嵌められる。一対の軸４４ａ，４４ｂは、ベース６の第一の分割体６−１及び第二の分割体６−２に結合される。一対の第三のリンク４３ａ，４３ｂは、第一の分割体６−１及び第二の分割体６−２に回転可能に支持される。一対の第三のリンク４３ａ，４３ｂの他端部には、軸４５が嵌められる。この軸４５は第二のリンク８の一端部にも嵌められる。
【００３５】
図１４は、本発明の第二の実施形態のダンパ装置４１の動作図を示す。図１４（１）→図１４（２）に示すように、開いた位置にある扉２を閉じると、スライド蝶番３の本体部３ａが第二のリンク８に当たる。図１４（３）に示すように、スライド蝶番３の本体部３ａが第二のリンク８を押すと、ベース６に対して第三のリンク４３ａ，４３ｂ及び第一のリンク７が揺動する。図１４（４）に示すように、第一のリンク７が揺動する角度は、扉２が閉じたときに最大になる。第一のリンク７には、リニアダンパ９が組み込まれる。第一のリンク７の揺動に伴って、ダンパ力が発生する。なお、第二の実施形態のダンパ装置４１では、第一ないし第三のリンク７，８，４３ａ，４３ｂ、及びベース６の長さは、第一のリンク７が揺動する角度が第三のリンク４３ａ，４３ｂが遊動する角度よりも大きくなるように設定される。
【００３６】
なお、第一の実施形態のダンパ装置４と第二の実施形態のダンパ装置４１とでは、第一の実施形態のダンパ装置４では、第二のリンク８とベース６とを回転可能にかつスライド可能に連結するのに対し、第二の実施形態のダンパ装置４１では、第二のリンク８とベース６との間に第三のリンク４３ａ，４３ｂを介在させる点で相違する。第一の実施形態のダンパ装置４には、第三のリンク４３ａ，４３ｂが存在しないので、第二の実施形態のダンパ装置４１に比べて、部品点数を削減できるという優位性がある。また、第三のリンク４３ａ，４３ｂが存在しないので、ダンパ装置４の横幅を小さくできるという優位性がある。
【００３７】
図１５は、本発明の第三の実施形態のダンパ装置５１の斜視図を示し、図１６は、図１５のダンパ装置の分解斜視図を示す。第三の実施形態では、第二の実施形態と同様に、ベース６、第一のリンク７、第二のリンク８、及び第三のリンク４３ａ，４３ｂが全て回り対偶で繋がり、四節回転連鎖を構成する。これらの構成は、第二の実施形態と略同一なので、同一の符号を附してその説明を省略する。
【００３８】
図１６に示すように、第三の実施形態では、第一及び第二の実施形態と異なり、ダンパに回転ダンパ５２を用いている。回転ダンパ５２は、第一のリンク７の円筒形のリンク本体部７ａに挿入される軸５３と、軸５３とリンク本体部７ａとの間に介在する弁５４と、軸５３の軸方向の位置を調節するダイヤル５５と、を備える公知のものである。軸５６は回転ダンパ５２を貫通し、ベース６に対する第一のリンク７の回転の軸を構成する。弁５４は、第一のリンク７が一方向に回転するとき、粘性流体の流路を狭めてダンパ力を大きくする。その一方、弁５４は、第一のリンク７が反対方向に回転するとき、粘性流体の流路を広げてダンパ力を弱くする。ダイヤル５５は、軸５３を軸方向に移動させてダンパ力を調整する。第一のリンク７とベース６との間には、第一のリンク７を一方向に付勢するためのねじりばね１０が設けられる。回転ダンパ５２は、ケース５７で覆われる。
【００３９】
図１７は、本発明の第三の実施形態のダンパ装置５１の動作図を示す。図１７（１）→図１７（２）に示すように、開いた位置にある扉２が閉じると、スライド蝶番３の本体部３ａが第二のリンク８に当たる。図１７（３）に示すように、スライド蝶番３の本体部３ａが第二のリンク８を押すと、ベース６に対して第一のリンク７が揺動する。図１７（４）に示すように、第一のリンク７が揺動する角度は、扉２が閉じたときに最大になる。第一のリンク７には、回転ダンパ５２が組み込まれるので、第一のリンク７の揺動に伴ってダンパ力が発生する。なお、第三の実施形態のダンパ装置５１では、第一ないし第三のリンク７，８，４３ａ，４３ｂ、及びベース６の長さは、第一のリンク７が揺動する角度が第三のリンク４３ａ，４３ｂが遊動する角度よりも大きくなるように設定される。
【００４０】
図１８は、本発明の第一の実施形態のダンパ装置４を扉２に直付けした例を示す。本実施形態のダンパ装置４を扉２に直付けしても、扉２を閉じるとき、第二のリンク８が本体１に当たるように第二のリンク８を構成すれば、ダンパ力を発生させることができる。第二のリンク８には、本体１側に突出する突起部８ｅが形成される。
【００４１】
なお、本発明は上記実施形態に具現化されるのに限られることはなく、本発明の要旨を変更しない範囲でさまざまな実施形態に変更可能である。
【００４２】
本発明のダンパ装置は、家具に限られることはなく、建築物の扉、機械の扉等を制動するのに用いることができる。
【００４３】
本発明のダンパ装置は、スライド蝶番に限られることはなく、一軸ヒンジ、隠し蝶番等の他のヒンジに取り付けることもできる。また、本発明のダンパ装置は、扉側部材に取り付けることも本体側部材に取り付けることもできる。さらに、図１８に示すように、本発明のダンパ装置は、扉又は本体に直付けすることもできる。
【００４４】
上記第一の実施形態のダンパ装置では、ベースに対する第一のリンクの相対的な回転を制動するダンパを設けているが、第一のリンクに対する第二のリンクの相対的な回転を制動するダンパを設けることもできるし、第二のリンクに対するベースの相対的な回転を制動するダンパを設けることもできる。また、これらのダンパを二つ以上併用することもできる。
【００４５】
上記第二及び第三の実施形態のダンパ装置では、ベースに対する第一のリンクの相対的な回転を制動するダンパを設けているが、第一のリンクに対する第二のリンクの相対的な回転を制動するダンパを設けることもできるし、第二のリンクに対する第三のリンクの相対的な回転を制動するダンパを設けることもできるし、第三のリンクに対するベースの相対的な回転を制動するダンパを設けることもできる。また、これらのダンパを二つ以上併用することもできる。
【００４６】
上記第二及び第三の実施形態のダンパ装置では、第二のリンクをスライド蝶番の本体部に当てているが、第三のリンクをスライド蝶番の本体部に当てることもできる。
【符号の説明】
【００４７】
１…本体（本体側部材）
２…扉（扉側部材）
３…スライド蝶番（ヒンジ）
３ａ…スライド蝶番の本体部（第二のヒンジ本体、本体側部材）
３ｂ…スライド蝶番のカップ（第一のヒンジ本体、扉側部材）
４，４１，５１…ダンパ装置
６…ベース
７…第一のリンク
７ａ１…第一のリンクの穴
８…第二のリンク
６〜８，４３ａ，４３ｂ…リンク装置
９…リニアダンパ（ダンパ）
１１…軸体
１１ａ…軸体の穴
１１ａ１…軸体の穴の底面
１３…第二のリンクの可動軸
１５ｂ１…ベースの壁面
１６ａ，１６ｂ…一対の案内面
１７ａ，１７ｂ…一対の案内溝
３２…第一のリンクのカム
４３ａ，４３ｂ…第三のリンク
５２…回転ダンパ（ダンパ）
Ａ…ベースに対する第一のリンクの回転の中心
Ｂ…第一のリンクに対する第二のリンクの回転の中心
Ｃ…ベースに対する第二のリンクの回転の中心
Ｌ…点Ａと点Ｃを結んだ線
Ｐ１…第一のリンクの初期位置
Ｐ２…第一のリンクの終了位置
θ…第一のリンクの揺動の角度範囲
【図１】
2016030978.tif 000003
【図２】
2016030978.tif 000004
【図３】
2016030978.tif 000005
【図４】
2016030978.tif 000006
【図５】
2016030978.tif 000007
【図６】
2016030978.tif 000008
【図７】
2016030978.tif 000009
【図８】
2016030978.tif 000010
【図９】
2016030978.tif 000011
【図１０】
2016030978.tif 000012
【図１１】
2016030978.tif 000013
【図１２】
2016030978.tif 000014
【図１３】
2016030978.tif 000015
【図１４】
2016030978.tif 000016
【図１５】
2016030978.tif 000017
【図１６】
2016030978.tif 000018
【図１７】
2016030978.tif 000019
【図１８】
2016030978.tif 000020